(57)【要約】      （修正有）【課題】螺着手段を用いることなくプレッシャーレギュレターを取着部材に取付け、これによってコンパクトで安価なプレッシャーレギュレターを得るとともにプレッシャーレギュレターを取着部材に極めて簡便に取りつけ可能な取付け構造の提供。【解決手段】プレッシャーレギュレターＲと、プレッシャーレギュレター取着部材１と、を備え、プレッシャーレギュレター取着部材の一側Ｐに、欠円形状の上方曲げ腕部１ｅと、欠円形状の下方曲げ腕部１ｃとが同心にして且つ間隙Ｌをもって対向配置され、更に燃料流入路ボス１ｇが突出して形成され、第１室１３の外周を下方曲げ腕部１ｃの一側Ｐの開口１ｄより下方曲げ腕部１ｃ内に挿入配置するとともに第２室１４の外周を上方曲げ腕部１ｅの一側Ｐの開口１ｆより上方曲げ腕部１ｅ内に挿入配置したプレッシャーレギュレターの取付け構造である。【選択図】図５
2006002587.tif 000002
【特許請求の範囲】
【請求項１】
ダイヤフラム１０によって第１室１３と第２室１４とに区分され、第１室１３内にスプリング１７が縮設され、第２室１４には少なくとも燃料流入路３０と、燃料リターン通路１５とが開口するとともに前記燃料リターン通路の開口がダイヤフラム１０と同期的に移動する弁体１８によって開閉されるプレッシャーレギュレターＲと、前記プレッシャーレギュレターが取着され、合成樹脂材料によって形成されるプレッシャーレギュレター取着部材１と、を備え、
前記プレッシャーレギュレター取着部材の一側Ｐに、水平線Ａ−Ａから上方に向かい、水平線Ａ−Ａに直交する垂直線Ｂ−Ｂの上点Ｃを通過した後に下方に曲折し、一側Ｐが開口１ｆをもって開口する欠円形状の上方曲げ腕部１ｅと、
前記水平線Ａ−Ａから下方に向かい、垂直線Ｂ−Ｂの下点Ｄを通過した後に上方に曲折し、一側Ｐが開口１ｄをもって開口する欠円形状の下方曲げ腕部１ｃと、が同心にして且つ間隙Ｌをもって対向配置され、
更にプレッシャーレギュレター取着部材１から一側Ｐの水平方向に向けて燃料流入路ボス１ｇが突出して形成され、
前記プレッシャーレギュレターの第１室１３の外周を下方曲げ腕部１ｃの一側Ｐの開口１ｄより下方曲げ腕部１ｃ内に挿入配置するとともに第２室１４の外周を上方曲げ腕部１ｅの一側Ｐの開口１ｆより上方曲げ腕部１ｅ内に挿入配置し、
更にプレッシャーレギュレターＲの燃料流入路３０をプレッシャーレギュレター取着部材１の燃料流入路ボス１ｇに挿入配置したことを特徴とするプレッシャーレギュレターの取付け構造。
【請求項２】
前記プレッシャーレギュレターの第２室１４の外周には、垂直線Ｂ−Ｂに沿う流路ボス２０が下方に向かって突出して形成され、前記プレッシャーレギュレター取着部材１を他の部材２２に取着する際、前記流路ボスを他の部材２２に穿設した垂直方向のガイド孔２３内に挿入配置したことを特徴とする請求項１記載のプレッシャーレギュレターの取付け構造。
【発明の詳細な説明】
【技術分野】
【０００１】
本発明は燃料ポンプによって昇圧された燃料圧力を大気圧又は吸気管負圧に対して一定の燃料圧力に調圧するプレッシャーレギュレターに関し、そのうち、このプレッシャーレギュレターをプレッシャーレギュレター取着部材に対して取着する為の取付け構造に関する。
【背景技術】
【０００２】
従来のプレッシャーレギュレターの取付け構造について図１１、図１２により説明する。
図１１はプレッシャーレギュレターが取着された状態の縦断面図。
図１２は図１１のＫ−Ｋ線における要部縦断面図。
プレッシャーレギュレターＲは以下により形成される。
１０は円筒状をなす第１筐体１１と円筒状をなす第２筐体１２との対向面に狭持されるダイヤフラムであり、ダイヤフラム１０の右側面１０ａと、第１筐体１１とによって第１室１３が区分形成され、ダイヤフラム１０の左側面１０ｂと第２筐体１２とによって第２室１４が区分形成される。第２室１４内には、少なくとも燃料流入路３０と燃料リターン通路１５とが開口して形成される。
尚、本例にあっては図示せぬ燃料噴射弁に接続される燃料吐出路１６が第２室１４に開口する。
１７は第１室１３内に縮設されるスプリングであり、ダイヤフラム１０はこのスプリング１７によって第２室１４側に付勢され、更に、１８はダイヤフラム１０と同期的に移動する弁体であり、この弁体１８は燃料リターン通路１５の第２室１４内への開口に臨んで配置される。
又、第２筐体１２の外周から側方に向かって取付け鍔部１２ａが突出して形成されるもので、この取付け鍔部１２ａには貫通孔１２ｂが貫通して穿設される。
【０００３】
更に１９は、プレッシャーレギュレターＲが取着されるプレッシャーレギュレター取着部材であり、上方に向かって貫通孔１９ａが穿設されるとともに吐出孔１９ｂが穿設される。
【０００４】
そして、プレッシャーレギュレターＲの燃料流入路３０がプレッシャーレギュレター取着部材１９の吐出孔１９ｂ内に挿入されるとともに取付け鍔部１２ａの貫通孔１２ｂとプレッシャーレギュレター取着部材１９の貫通孔１９ａとが合わされ、この状態において貫通孔１２ｂ，１９ａ内にボルト２０が挿通され、ナット２１を螺動することによりプレッシャーレギュレターＲがプレッシャーレギュレター取着部材１９に螺着された。
次いで、プレッシャーレギュレター取着部材１９が燃料槽等の他の部材２２にボルト２０によって螺着される。
尚、他の部材２２の側壁には、流入孔２２ａが開口するとともに中心部にはフィルター２４が配置され、プレッシャーレギュレター取着部材１９の吐出孔１９ｂはフィルター２４の内方に開口する。
【０００５】
以上によると、燃料ポンプによって昇圧された燃料は、流入孔２２ａから他の部材２２内に流入し、フィルター２４によって濾過された燃料は吐出孔１９ｂ、燃料流入路３０を介してプレッシャーレギュレターＲの第２室１４内へ流入する。
そして第２室１４内に燃料が充満してダイヤフラム１０を介して弁体１８を図１２において右方へ移動させ、設定圧力でスプリング１７のバネ力と釣りあい、燃料の一部は燃料リターン通路１５を介して燃料タンクへと戻される。
而して、燃料圧力は所定の圧力に調圧されるもので、この調圧された燃料が燃料吐出路１６を介して燃料噴射弁へと供給される。
【発明の開示】
【発明が解決しようとする課題】
【０００６】
かかる従来のプレッシャーレギュレターの取付け構造によると、プレッシャーレギュレターにはボルトを挿通する為の貫通孔を備えた取付け鍔部を一体的に設ける必要があり、これによるとプレッシャーレギュレターをコンパクトにまとめることができない。
又、プレッシャーレギュレター取着部材にボルトを介してプレッシャーレギュレターを螺着する際、取付け鍔部から第２筐体に締付け力が作用することになり、ダイヤフラムに歪みを生じさせない為にも第２筐体の剛性を充分に高める必要がある。
更に、プレッシャーレギュレターとプレッシャーレギュレター取着部材とはボルト及びナットにより螺着結合されるので、部品点数の増加と螺着作業工数が増加し、製造コストを効果的に低減できない。
【０００７】
本発明になるプレッシャーレギュレターの取付け構造は、上記不具合に鑑み成されたもので、ボルト、ナットによる螺着手段を用いることなくプレッシャーレギュレターをプレッシャーレギュレター取着部材に取付け、これによってコンパクトで安価なプレッシャーレギュレターを得るとともにプレッシャーレギュレターをプレッシャーレギュレター取着部材に極めて簡便に取りつけることにある。
【課題を解決するための手段】
【０００８】
本発明になるプレッシャーレギュレターの取付けの構造は前記目的達成の為に、ダイヤフラムによって第１室と第２室とに区分され、第１室内にスプリングが縮設され、第２室には少なくとも燃料流入路と、燃料リターン通路とが開口するとともに前記燃料リターン通路の開口がダイヤフラムと同期的に移動する弁体によって開閉されるプレッシャーレギュレターと、前記プレッシャーレギュレターが取着され、合成樹脂材料によって形成されるプレッシャーレギュレター取着部材と、を備え、
前記プレッシャーレギュレター取着部材の一側に、水平線から上方に向かい、水平線に直交する垂直線の上点を通過した後に下方に曲折し、一側が開口をもって開口する欠円形状の上方曲げ腕部と、
前記水平線から下方に向かい、垂直線の下点を通過した後に上方に曲折し、一側が開口をもって開口する欠円形状の下方曲げ腕部と、が同心にして且つ間隙をもって対向配置され、更にプレッシャーレギュレター取着部材から一側の水平方向に向けて燃料流入路ボスが突出して形成され、
前記プレッシャーレギュレターの第１室の外周を下方曲げ腕部の一側の開口より下方曲げ腕部内に挿入配置するとともに第２室の外周を上方曲げ腕部の一側の開口より上方曲げ腕部内に挿入配置し、
更にプレッシャーレギュレターの燃料流入路をプレッシャーレギュレター取着部材の燃料流入路に挿入配置したことを第１の特徴とする。
【０００９】
又、本発明は前記第１の特徴に加え、前記プレッシャーレギュレターの第２室の外周には、垂直線に沿う流路ボスが下方に向かって突出して形成され、前記プレッシャーレギュレター取着部材を他の部材に取着する際、前記流路ボスを他の部材に穿設した垂直方向のガイド孔内に挿入配置したことを第２の特徴とする。
【発明の効果】
【００１０】
本発明の第１の特徴によると、プレッシャーレギュレターの第１室の外周を、プレッシャーレギュレター取着部材の下方曲げ腕部の一側の開口より下方曲げ腕部内に挿入する。
これと同時に、プレッシャーレギュレターの第２室の外周を、プレッシャーレギュレター取着部材の上方曲げ腕部の一側の開口より上方曲げ腕部内に挿入する。
さらにこれと同時に、プレッシャーレギュレターの燃料流入路をプレッシャーレギュレター取着部材の燃料流入路ボスに挿入する。
以上によると、プレッシャーレギュレターは、プレッシャーレギュレター取着部材に対して、左右方向、上下方向、前後方向及び回転方向において規制して取着できる。
そして、かかるプレッシャーレギュレターの取付け構造によると、プレッシャーレギュレター取着部材に対する取付けは、プレッシャーレギュレターが本来有する第１室、第２室、燃料流入路ボス、を利用したので、取付け鍔部を必要とするものでなくプレッシャーレギュレターをコンパクトにまとめることができる。
又、プレッシャーレギュレターは、上方曲げ腕部及び下方曲げ腕部、更に燃料流入路ボスに向けて一側から同時に挿入されることによってプレッシャーレギュレター取着部材に取着されるので、プレッシャーレギュレターをプレッシャーレギュレター取着部材に極めて簡単に取り付けることができる。
更に、プレッシャーレギュレターは、ボルト等を使用することなく、単に挿入することによってプレッシャーレギュレター取着部材に取着されるので、取着の為に用いる格別な部品を必要とするものでなく、且つ螺着作業も不要となり、安価な取付け構造を得ることができる。
更に又、前記によれば、取付け鍔部及びボルトによる螺着が不要となったので締付け力の発生がなく、第２筐体の剛性を高める必要がない。
【発明を実施するための最良の形態】
【００１１】
以下、本発明になるプレッシャーレギュレターの取付け構造の一実施例について図により説明する。
まず、プレッシャーレギュレターが取付けられるプレッシャーレギュレター取着部材１について図１から図４により説明する。
図１はプレッシャーレギュレター取着部材の上部平面図。
図２は図１のＬ−Ｌ線における縦断面図。
図３は図１のＭ−Ｍ線における縦断面図。
図４は図１のＮ−Ｎ線における縦断面図である。
プレッシャーレギュレター取着部材１は合成樹脂材料によって形成され、例えば下方の鍔部１ａから上方に向けて有底状の上底部１ｂが形成される。
このプレッシャーレギュレター取着部材１はプレッシャーレギュレターを直接取着するもので実施例の形状に限定されるものでない。
１ｃは図２に示される如き下方曲げ腕部であり、前記上底部１ｂの一側Ｐ（図１において右側）にあり、水平線Ａ−Ａから下方に向かって曲折し、水平線Ａ−Ａに直交する垂直線Ｂ−Ｂの下点Ｄを通過した後に上方に向かって曲折し、その端部が開口１ｄをもって右方の一側Ｐへ開口する欠円形状の腕部をなす。
尚、前記下方曲げ腕部の開口１ｄの位置は垂直線Ｂ−Ｂより反時計方向へ約４５度以下が好ましいもので、この下方曲げ腕部１ｃはほぼ上方に向かって開口することになる。
【００１２】
１ｅは図３に示される如き上方曲げ腕部であり、前記上底部１ｂの一側Ｐ（図１において右側）にあり、水平線Ａ−Ａから上方に向かって曲折し、水平線Ａ−Ａに直交する垂直線Ｂ−Ｂの上点Ｃを通過した後に下方に向かって曲折し、その端部が開口１ｆをもって右方の一側Ｐへ開口する欠円形状の腕部をなす。
尚、前記上方曲げ腕部の開口１ｆの位置は垂直線Ｂ−Ｂより時計方向へ約４５度以下が好ましいもので、この上方曲げ腕部１ｅはほぼ下方に向かって開口することになる。
【００１３】
１ｇは図４に示される如き燃料流入路ボスであり、一側Pに向かって水平方向に突出し、その内部には燃料流入路ボス１ｇの一端１ｈから上底部１ｂの内方に向けてL字状に流路１ｊが穿設される。
以上の如く、プレッシャーレギュレター取着部材１には、一側Pに向けて下方曲げ部１ｃ、上方曲げ部１ｅ、燃料流入路ボス１ｇが突出して形成されるもので、このとき下方曲げ部１ｃの欠円形状の中心Ｆと、上方曲げ部１ｅの欠円形状の中心Ｇとは同心に形成されるとともに間隙Ｌをもって対向配置される。
【００１４】
プレッシャーレギュレターＲは、図１１に示される従来のものが用いられるもので、プレッシャーレギュレターＲの長手軸心線Ｈ−Ｈに沿って第１筐体１１の第１室１３と第２筐体１２の第２室１４と燃料リターン通路１５が配置され、さらに前記長手軸心線に直交して燃料流入路３０が第２室１４内に向かって開口する。
【００１５】
次にプレッシャーレギュレターＲのプレッシャーレギュレター取着部材１への取付けに関して図５から図８により説明する。
図５はプレッシャーレギュレターＲがプレッシャーレギュレター取着部材１へ取付けられた状態における要部横断面図を含む平面図。
図６は図５のＳ−Ｓ線における縦断面図。
図７は図５のＴ−Ｔ線における縦断面図。
図８は図５のＶ−Ｖ線における縦断面図。
である。
プレッシャーレギュレターＲはプレッシャーレギュレター取着部材１の一側Ｐ（右側）に配置され、その状態において左側へ水平移動され、この左方移動時において、プレッシャーレギュレターＲの第１室１３の外周１３ａが下方曲げ腕部１ｃの開口１ｄを下方に押し開くと同時に前記外周が下方曲げ腕部１ｃ内に挿入配置される。
そして、外周１３ａが下方曲げ腕部１ｃ内に挿入された後、開口１ｄは再び原位置に復帰する。（これは図６に示される。）
又、この左方移動時においてプレッシャーレギュレターＲの第２室１４の外周１４ａが上方曲げ部１ｅの開口１ｆを上方に押し開くと同時に上方曲げ部１ｅ内に前記外周が挿入配置される。
そして外周１４ａが上方曲げ腕部１ｅ内に挿入された後、開口１ｆは再び原位置に復帰する。（これは図７に示される。）
更に、この左方移動時において、プレッシャーレギュレターＲの燃料流入路３０が燃料流入路ボス１ｇに挿入配置される。（これは図５、図８に示される。）
【００１６】
以上によってプレッシャーレギュレターＲはプレッシャーレギュレター取着部材１に取りつけられるもので、このとき、図５において、プレッシャーレギュレターＲの一側Ｐ（右側）への抜けは、上方曲げ腕部１ｅの開口１ｆ及び下方曲げ腕部１ｃの開口１ｄによって抑止される。
又、図５においてプレッシャーレギュレターＲの長手軸心線Ｈ−Ｈ方向の抜けは燃料流入路ボス１ｇ及び上方及び下方曲げ腕部１ｅ，１ｃによって抑止される。
更に、図８においてプレッシャーレギュレターＲの回転方向は、燃料流入路ボス１ｇによって抑止される。
更に又、図８においてプレッシャーレギュレターＲの上下方向の抜けは、燃料流入路ボス１ｇ及び上方及び下方曲げ腕部１ｅ，１ｃによって抑止される。
【００１７】
以上の如く、本発明になるプレッシャーレギュレターの取付け構造によると、プレッシャーレギュレターＲをプレッシャーレギュレター取着部材１に対して水平方向に移動させ、第１室１３の外周１３ａを下方曲げ腕部１ｃ内に挿入するとともに第２室１４の外周１４ａを上方曲げ腕部１ｅ内に挿入し、同時に燃料流入路３０を燃料流入路ボス１ｇに挿入することによってプレッシャーレギュレターＲをプレッシャーレギュレター取着部材１に取りつけることができ、このとき、下方曲げ腕部１ｃ、上方曲げ腕部１ｅ及び燃料流入路ボス１ｇによってプレッシャーレギュレターＲの全方向における抜けを抑止してプレッシャーレギュレター取着部材１に取付けが可能となったものである。
そして、本発明によれば、ボルト、ナット等の螺着部材を用いることなくプレッシャーレギュレターＲをプレッシャーレギュレター取着部材１に取付けることができたので、プレッシャーレギュレターＲに取付け鍔部を設ける必要がなく、プレッシャーレギュレターをコンパクトにまとめることができるとともに第２筐体１２の剛性を高める必要がない。
又、プレッシャーレギュレターＲは単にプレッシャーレギュレター取着部材１に挿入すればよく、且つボルト、ナット等の螺着部材が不要となるので安価な取付け構造を得ることができる。
【００１８】
更に、図８及び図５のＷ−Ｗ線における縦断面図に相当する図９に示す如く、第２室１４の外周に垂直線Ｂ−Ｂに沿う例えば燃料吐出路の如き流路ボス２０を突出して設け、図１０に示す如きプレッシャーレギュレター取着部材１を他の部材２２に螺着する際、プレッシャーレギュレターＲの流路ボス２０を他の部材２２に穿設した垂直方向のガイド孔２３内に挿入すると、プレッシャーレギュレターＲをより一層強固に取付けることができる。
かかる実施例にあっても、プレッシャーレギュレターＲは直接的に螺着されるものでなく、前述した効果を維持できる。
【図面の簡単な説明】
【００１９】
【図１】本発明になるプレッシャーレギュレターの取付け構造に用いられるプレッシャーレギュレター取着部材の上部平面図。
【図２】図１のＬ−Ｌ線における縦断面図。
【図３】図１のＭ−Ｍ線における縦断面図。
【図４】図１のＮ−Ｎ線における縦断面図。
【図５】本発明においてプレッシャーレギュレターがプレッシャーレギュレター取着部材へ取付けられた状態における要部横断面図を含む平面図。
【図６】図５のＳ−Ｓ線における縦断面図。
【図７】図５のＴ−Ｔ線における縦断面図。
【図８】図５のＶ−Ｖ線における縦断面図。
【図９】図５のＷ−Ｗ線における縦断面図。
【図１０】プレッシャーレギュレター取着部材が他の部材に螺着された状態を示す縦断面図。
【図１１】従来のプレッシャーレギュレターがプレッシャーレギュレター取着部材に取着された状態における縦断面図。
【図１２】図１１のＫ−Ｋ線における縦断面図。
【符号の説明】
【００２０】
１      プレッシャーレギュレター取着部材
１ｅ    下方曲げ腕部
１ｄ    開口
１ｅ    上方曲げ腕部
１ｆ    開口
１ｇ    燃料流入路ボス
１３    第１室
１４    第２室
２０    流路ボス
２２    他の部材
２３    ガイド孔
Ｒ      プレッシャーレギュレター
【図１】
2006002587.tif 000003
【図２】
2006002587.tif 000004
【図３】
2006002587.tif 000005
【図４】
2006002587.tif 000006
【図５】
2006002587.tif 000007
【図６】
2006002587.tif 000008
【図７】
2006002587.tif 000009
【図８】
2006002587.tif 000010
【図９】
2006002587.tif 000011
【図１０】
2006002587.tif 000012
【図１１】
2006002587.tif 000013
【図１２】
2006002587.tif 000014